(57)【要約】  本発明は、端末（１０）の位置を特定することを伴う、セルラー移動端末（１０）をサーバ（２１、２２、２３）に接続してホットラインを配信する方法に関する。本発明は、次のステップ、すなわち、移動端末（１０）が、ホットラインを配信するサーバ（２１、２２、２３）にホットラインへの接続要求（１）を送信するステップと、この接続要求に対応するコンテンツを移動端末（１０）に送信するために、ホットラインを配信するサーバ（２１、２２、２３）にとって有用な情報（４）も移動端末（１０）がサーバ（２１）に送信するステップとを含むことを特徴とする。この有用な情報（４）は、移動端末（１０）に含まれる位置特定情報に基づいて求められる。
2009512297.tif 000002
【特許請求の範囲】
【請求項１】
セルラー移動端末（１０）の位置特定を必要とするアシスタンスサービスを配信するように意図されたサーバ（２１、２２、２３）への前記端末（１０）の接続方法であって、
前記移動端末（１０）が、前記アシスタンスサービスを配信する前記サーバ（２１、２２、２３）に、該アシスタンスサービスへの接続要求（１）を送信するステップと、
前記移動端末（１０）が、前記接続要求に対応するコンテンツを該移動端末（１０）に送信する目的で、前記アシスタンスサービスを配信するように意図された前記サーバ（２１、２２、２３）にとって有用な情報（４）も前記サーバ（２１）に送信するステップであって、前記有用な情報（４）は、前記移動端末（１０）に含まれる位置情報の関数として求められる、有用な情報も前記サーバに送信するステップと
を含むことを特徴とする、方法。
【請求項２】
前記接続要求（１）は、前記サーバ（２１、２２、２３）によって識別されるようになっているデータを含み、前記データは、前記有用な情報が前記移動端末（１０）によって前記サーバ（２１、２２、２３）に送信されることを該サーバ（２１、２２、２３）に示す、請求項１に記載の方法。
【請求項３】
前記移動端末（１０）が、該移動端末に含まれる位置情報（２）をロケーションサーバ（８０）に送信するステップと、
前記ロケーションサーバ（８０）が、アシスタンスサービスを配信するように意図された前記サーバ（２１、２２、２３）にとって有用な情報に前記位置情報（２）を変換し、該有用な情報（３）を前記移動端末（１０）に送信するステップと
を含む、請求項１又は２に記載の方法。
【請求項４】
前記位置情報（２）は、前記移動端末（１０）に記録されている情報である、請求項３に記載の方法。
【請求項５】
前記位置情報は、前記移動端末（１０）が位置するセルラー移動電話ネットワーク（１００）のセルを識別する情報である、請求項４に記載の方法。
【請求項６】
前記移動端末（１０）は、前記有用な情報を含む接続要求をロケーションサーバ（８０）に送信する、請求項１又は２に記載の方法。
【請求項７】
前記有用な情報（３）は、前記移動電話（１０）の地理的位置座標（Ｘ，Ｙ）を含む、請求項１から請求項６までのいずれか一項に記載の方法。
【請求項８】
前記移動端末（１０）が、前記アシスタンスサービスを配信するように意図された前記サーバ（２１、２２、２３）に前記有用な情報（４）を送信するステップと、
前記サーバ（２１）が、前記有用な情報（４）を処理し、該有用な情報（４）に応じたコンテンツ（５）を前記移動電話（１０）に送信するステップと
を含む、請求項１から請求項７までのいずれか一項に記載の方法。
【請求項９】
前記有用な情報（４）に応じた前記コンテンツ（５）を受信する権限が前記アシスタンスサービス（２１、２２、２３）に与えられていることを、前記ロケーションサーバ（８０）が検証するステップ
を含む、請求項８に記載の方法。
【請求項１０】
前記移動端末（１０）は、該移動端末（１０）のデータチャネルを介して前記有用な情報（４）を送信する、請求項１から請求項９までのいずれか一項に記載の方法。
【請求項１１】
前記移動端末（１０）が、該移動端末（１０）の位置情報の前記送信を前記ユーザに提案するウィンドウ（１２）をスクリーン（１１）上に表示する予備ステップであって、前記ユーザが前記提案を容認又は拒否することができ、該ユーザが該提案を容認する場合にのみ、前記有用な情報（４）の送信のステップが実行される、前記予備ステップを含む、請求項１から請求項１０までのいずれか一項に記載の方法。
【請求項１２】
セルラー移動端末（１０）の位置特定を必要とするアシスタンスサービスを配信するサーバ（２１、２２、２３）に接続されるようになっている前記セルラー移動端末（１０）であって、
該端末（１０）は、
該移動端末（１０）が、前記アシスタンスサービスを配信するサーバ（２１、２２、２３）に、前記アシスタンスサービスへの接続要求（１）を送信するステップと、
該移動端末（１０）が、前記接続要求（１）に対応するコンテンツを該移動端末（１０）に送信する目的で、前記サービスサーバ（２１）にとって有用な情報（４）も前記サーバ（２１、２２、２３）に送信するステップであって、前記有用な情報（４）は、前記移動端末（１０）に含まれる位置情報の関数として求められる、前記有用な情報（４）も前記サーバ（２１）へ送信するステップと
を実行するようにプログラミングされている処理手段を備える、セルラー移動端末（１０）。
【請求項１３】
移動端末（１０）の位置特定を必要とするアシスタンスサービスを配信するサーバ（２１、２２、２３）に前記移動端末（１０）を接続する目的で、該移動端末（１０）と協働するように意図されたロケーションサーバ（８０）であって、
該ロケーションサーバ（８０）は、
前記移動端末（１０）によって放射された前記移動端末（１０）に収容されている位置情報（２）を受信する手段と共に、
前記位置情報（２）を、前記アシスタンスサービスを配信するサーバ（２１、２２、２３）にとって有用な情報（３）に変換する手段、及び
前記有用な情報（３）を前記移動端末（１０）に送信する手段
を備える、ロケーションサーバ。
【請求項１４】
前記端末（１０）によって送信された前記位置情報（２）を地理的位置座標（Ｘ，Ｙ）に変換し、前記地理的位置座標（Ｘ，Ｙ）を前記移動端末（１０）に送信する手段を含む、請求項１３に記載のロケーションサーバ。
【発明の詳細な説明】
【技術分野】
【０００１】
本発明は、移動電話通信の分野に関する。
【０００２】
詳細には、本発明は、移動電話のユーザに提供されるアシスタンスサービスに関する。ここで、これらのアシスタンスサービスは、移動電話の位置特定を必要とする。
【０００３】
たとえば、これらのアシスタンスサービスによって、ユーザは、移動電話が位置する地理的ゾーンに関する情報（旅程、最も近いレストラン、映画館、スポーツセンター等）を取得することが可能になる。
【背景技術】
【０００４】
図１に示されるように、ユーザが、移動電話ネットワーク１００を介してアシスタンスサービス（たとえば、ｉ−ｍｏｄｅ（登録商標）サービス）に接続するために自身の移動電話ＭＳ１０を使用するときに、移動端末１０は、接続要求（１）をアクセスゲートウェイ２０へ送信する。アクセスゲートウェイ２０（たとえば、ｉ−ｍｏｄｅ（登録商標）サーバ）は、次に、移動電話の位置特定の処理手続をトリガする。
【０００５】
この目的のために、アクセスゲートウェイ２０は、移動電話ロケーション要求（２）を、移動電話ネットワークのロケーションプラットフォーム３０に送信する。ロケーションプラットフォーム３０は、次に、移動電話への通話のルーティング期間中に行われる検索プロセス（ページング）と類似した移動電話１０の位置特定のプロセスをトリガする。
【０００６】
ロケーションプラットフォーム３０は、ホームロケーションレジスタ（ＨＬＲ）に問い合わせする（３）。ＨＬＲは、移動電話１０が自身を指し示した在圏ロケーションレジスタ（ＶＬＲ）の最新の番号を含む。
【０００７】
ロケーションプラットフォーム３０は、位置が特定される移動電話の加入者の国際移動加入者識別番号（ＩＭＳＩ）をＶＬＲに送信する（４）。
【０００８】
移動サービス交換局（ＭＳＣ）４０は、ユーザが位置するロケーションエリア（ＬＡ）の複数の基地局制御装置（ＢＳＣ）６０及び複数の基地局（ＢＴＳ）をＶＬＲ５０のコマンド（５）に関連付け、その結果、基地局ＢＴＳ７０は、ページングチャネル（ＰＣＨ）でユーザページング信号（６）を放射する。このページング信号は、位置が特定される移動電話のＩＭＳＩを含む。
【０００９】
ページング信号（６）に応答して、移動電話１０は、デジタルシグナリングチャネル又はランダムアクセスチャネル（ＲＡＣＨ）で、最も近い基地局ＢＴＳ７０に信号（７）を送信する。移動電話１０によって放射されたこの応答信号（７）は、その電話を識別する情報を含む。
【００１０】
基地局ＢＴＳ７０は、自身が関連付けられているＢＳＣ６０に移動電話の応答を転送し、ＢＳＣ６０は、移動電話１０が位置するセルの参照子(references)（セルＩＤ）をロケーションプラットフォーム３０に送信する（８）。
【００１１】
ロケーションプラットフォーム３０は、セルの参照子を移動電話の地理的位置座標に変換し、その地理的位置座標をアクセスゲートウェイ２０へ送信する（９）。移動電話１０のユーザが自身の位置を知らせることに同意した場合、ゲートウェイ２０は、関係しているサービスプロバイダ２１、２２、又は２３に地理的座標を送信する（１１）。
【００１２】
したがって、サービスプロバイダ２１、２２、又は２３は、移動電話１０の地理的座標を処理することができ、移動電話１０に、これらの座標にふさわしいコンテンツを送信する（１２）ことができる。
【００１３】
これらのアシスタンスサービスの１つの欠点は、これらのサービスへのアクセスが比較的長く、その結果、ユーザに待ち時間が生じることである。特に、ページングによる位置特定処理手続には、約１５秒を要する。
【００１４】
さらに、位置特定処理手続は、ＰＣＨチャネル及びＲＡＣＨチャネルで移動電話と基地局との間の一連のやり取りを必要とする。その結果、位置特定処理手続は、移動端末のＧＰＲＳチャネルによるデジタルパケットの送信の中断を伴う。したがって、ナビゲーションが、ユーザにとって流れるようなプロセス（fluid process）ではない。
【００１５】
本発明の１つの目的は、移動端末の位置特定を必要とするアシスタンスサービスにアクセスするのに必要な時間を削減することである。
【００１６】
この目的のために、本発明は、
セルラー移動端末の位置特定を必要とするアシスタンスサービスを配信するように意図されたサーバへの端末の接続方法であって、
移動端末が、アシスタンスサービスを配信するサーバに、当該アシスタンスサービスへの接続要求を送信するステップと、
移動端末が、接続要求に対応するコンテンツを当該移動端末に送信する目的でアシスタンスサービスを配信するように意図されたサーバが利用可能な情報もサーバに送信するステップであって、有用な情報は、移動端末に含まれるロケーションの関数(function)として求められる、有用な情報もサーバに送信するステップと
を含むことを特徴とする、接続方法を提案する。
【００１７】
移動端末は、サーバが所望のコンテンツを端末に送信できるように、必要な有用情報をサービスプロバイダのサーバに送信し、その結果、移動電話ネットワークによる移動端末の検索プロセスの実行が不要になる（ページングプロセスがなくなる）。
【００１８】
ところで、有用な情報は、端末で利用可能な位置情報から求めることができる情報である。
【００１９】
本発明の方法は、端末がアシスタンスサービスとの接続を確立するのに必要な時間を削減するのに使用される。
【００２０】
さらに、本発明の接続方法は、端末のデータチャネルを介するデータ送信を中断する必要がない。
【００２１】
本発明の接続方法では、接続要求は、サーバによって識別されるようになっているデータを含むことができ、上記データは、有用な情報が移動端末によってサーバに送信されることをサーバに示す。
【００２２】
本発明の一実施の形態では、接続方法は、
移動端末が、移動端末に含まれる位置情報をロケーションサーバに送信するステップと、
ロケーションサーバが、アシスタンスサービスを配信するように意図されたサーバが利用可能な情報に位置情報を変換し、上記有用な情報を移動端末に送信するステップと
を含む。
【００２３】
そのような接続方法では、位置情報を、移動端末に記録されている情報とすることができる。
【００２４】
特に、位置情報を、移動端末が位置するセルラー移動電話ネットワークのセルを識別する情報とすることができる。
【００２５】
接続方法の一実施の形態では、移動端末は、有用な情報を含む接続要求をロケーションサーバに送信する。
【００２６】
接続方法の一実施の形態では、有用な情報は、移動電話の地理的位置座標を含む。
【００２７】
本発明の一実施の形態では、接続方法は、
移動端末が、アシスタンスサービスを配信するように意図されたサーバに有用な情報を送信するステップと、
サーバが、有用な情報を処理し、当該有用な情報に応じたコンテンツを移動電話に送信するステップと
を含む。
【００２８】
本発明の一実施の形態では、接続方法は、
有用な情報に応じたコンテンツを受信する権限がアシスタンスサービスに与えられていることを、ロケーションサーバが検証するステップ
を含む。
【００２９】
接続方法の一実施の形態では、移動端末は、当該移動端末のデータチャネルを介して有用な情報を送信する。
【００３０】
本発明の一実施の形態では、接続方法は、
移動端末が、当該移動端末の位置情報の送信をユーザに提案するウィンドウをスクリーン上に表示する予備ステップであって、ユーザが提案を容認又は拒否することができ、当該ユーザが当該提案を容認する場合にのみ、有用な情報の送信のステップが実行される、予備ステップを含む。
【００３１】
本発明はまた、セルラー移動端末の位置特定を必要とするアシスタンスサービスを配信するサーバに接続されるようになっているセルラー移動端末であって、
当該端末は、
当該移動端末が、アシスタンスサービスを配信するサーバに、アシスタンスサービスへの接続要求を送信するステップと、
当該移動端末が、接続要求に対応するコンテンツを当該移動端末に送信する目的で、サービスサーバが利用可能な情報もサーバに送信するステップであって、有用な情報が、当該移動端末に含まれる位置情報の関数として求められる、有用な情報もサーバに送信するステップと
を実行するようにプログラミングされている処理手段を備える、セルラー移動端末に関する。
【００３２】
本発明はさらに、移動端末の位置特定を必要とするアシスタンスサービスを配信するサーバに移動端末を接続する目的で、移動端末と協働するように意図されたロケーションサーバであって、
ロケーションサーバは、
移動端末によって放射された移動端末に収容されている位置情報を受信する手段と共に、
その位置情報を、アシスタンスサービスを配信するサーバが利用可能な情報に変換する手段、及び、
上記有用な情報を移動端末に送信する手段
を備えるロケーションサーバに関する。
【００３３】
本発明の一実施の形態では、サーバは端末によって送信された位置情報を地理的位置座標に変換し、上記地理的位置座標を移動端末に送信する手段を含む。
【００３４】
他の特徴及び利点は、以下の説明から明らかになる。以下の説明は、限定ではなく、単なる例示であり、添付図面を参照して読まれるべきである。
【発明を実施するための最良の形態】
【００３５】
図２に示すように、本発明の方法の第１の実施形態によれば、移動電話ネットワーク１００は、ＧＳＭ−ＧＰＲＳネットワークである。セルラー移動電話１０は、ＧＳＭ音声チャネル又はＧＰＲＳデータチャネルによって移動電話ネットワーク１００と通信するようになっている移動電話である。特に、移動電話１０は、ｉ−ｍｏｄｅ（登録商標）サービスにアクセスするようになっている。
【００３６】
セルラー移動電話１０のユーザは、移動電話ネットワーク１００を介して、移動電話１０の位置特定を必要とするｉ−ｍｏｄｅ（登録商標）サービスに接続することを望んでいると仮定する。一例として、ユーザは、「すぐ近くのレストラン(Nearby restaurants)」の提案を選択する。
【００３７】
ユーザは、自身の移動電話１０でｉ−ｍｏｄｅ（登録商標）メニューを選択する。ｉ−ｍｏｄｅ（登録商標）メニューの選択は、移動電話１０のブラウザを介して、アプリケーションプログラミングインターフェース（ＡＰＩ）プログラムの実行をトリガする。このＡＰＩプログラムは、以下のステップを含む。
【００３８】
第１のステップでは、移動電話１０は、サーバ２１、２２、又は２３の１つに移動電話の地理的位置を送信することをユーザに提案するウィンドウ１２（ポップアップウィンドウ）をスクリーン１１上に表示する。サーバ２１、２２、２３は、サービスプロバイダによって管理されたサーバである。
【００３９】
ウィンドウは、「あなたの地理的位置を知らせることに同意しますか？(Do you agree to communicate your geographical position?)」というタイプのメッセージを含む。ユーザは、次に、表示された応答、すなわち、「はい」又は「いいえ」のいずれかを選択することができる（図３）。
【００４０】
第２のステップでは、ユーザが「はい」の提案を選択する場合に、移動電話１０は、サーバ２１、２２、又は２３のうちの１つに接続要求１を送信する。
【００４１】
接続要求１は、サーバ２１によって識別されるように適合されたデータを含むヘッダだけでなく、サーバ２１、２２、又は２３のうちの１つに含まれるページのＵＲＬアドレスも含むｈｔｔｐ形式の要求である。このデータは、移動端末１０の位置が、移動端末２１によってサーバ２１に送信されることをサーバ２１に示すものである。
【００４２】
これらのデータを識別した後は、サーバ２１は、移動電話１０の位置を特定するプロセスをトリガしない。
【００４３】
第３のステップでは、移動電話１０のブラウザは、電話１０の位置情報を求める。位置情報は、移動電話１０が位置するセルラー移動電話ネットワーク１００のセルを識別する情報（セルＩＤ情報）である。この情報は、移動電話１０に知られており、移動電話のソフトウェアレイヤ(software layer)に記録されている。
【００４４】
第４のステップでは、移動電話１０のブラウザは、セルＩＤ情報を含む位置要求２を生成する。移動電話１０は、ネットワーク１００のロケーションサーバ８０に位置要求２を送信する。
【００４５】
第５のステップでは、ロケーションサーバ８０は、位置要求２を処理する。ロケーションサーバ８０は、セルＩＤ情報がどのサーバ２１、２２、又は２３にあてられているのかを判断する。
【００４６】
この第５のステップは、サービスプロバイダの権利及びユーザの権利をチェックするステップである。
【００４７】
ロケーションサーバ８０は、たとえばサーバ２１が関連付けられているサーバプロバイダに、移動電話１０の位置に関する情報を取得する権限が与えられていることを検証する。また、ロケーションサーバ８０は、移動電話１０が自身の位置に関する情報を取得する権限を与えられていることも検証する。
【００４８】
第６のステップでは、ロケーションサーバ８０は、要求２に含まれる位置情報を移動電話１０の地理的位置座標（Ｘ，Ｙ）に変換する。
【００４９】
第７のステップでは、ロケーションサーバ８０は、地理的位置座標（Ｘ，Ｙ）（３）を移動電話１０に送信する。
【００５０】
第８のステップでは、移動電話１０は、ロケーションサーバ８０から受信した地理的位置データ（Ｘ，Ｙ）４をサーバ２１へ送信する。
【００５１】
第９のステップでは、移動電話１０が位置する地理的ゾーンに応じたコンテンツ（旅程、最も近いレストラン、映画館、スポーツセンター等）を移動電話１０に送信するために、座標（Ｘ，Ｙ）がサーバ２１によって処理される。
【００５２】
第１０のステップでは、サーバ２１は、対応するコンテンツ５を移動電話１０に送信する。
【００５３】
ユーザが第１のステップで「いいえ」の応答を選択する場合、移動電話１０は、第１１のステップを直接実行する。この第１１のステップでは、移動電話１０は、ｈｔｔｐサーバ２１、２２、又は２３のうちの１つに接続要求１を送信する。この接続要求１は、後のステップで移動電話１０の位置が移動電話によって送信されることをサーバ２１に示すデータを含むヘッダを含んでいない。
【００５４】
この第１１のステップの結果として、サーバ２１は、移動電話１０の位置特定の従来のプロセスをトリガすることができる。この従来のプロセスは、従来技術のプロセス（たとえば、ページングプロセス）と同一である。
【００５５】
今説明した接続方法では、移動電話１０が位置する移動電話ネットワークのセルを識別するのは移動電話１０自身である。したがって、移動電話の位置特定に必要な有用情報を供給するのはネットワークではない。したがって、この位置特定方法は、どのロケーションプラットフォームも必要としない。
【００５６】
ところで、コンテンツプロバイダ２１、２２、２３は、移動端末１０の位置を特定することをネットワークに依頼しない。
【００５７】
このような接続方法では、第３のステップ、第４のステップ、第５のステップ、第６のステップ、第７のステップ、及び第８のステップが約６秒又は７秒を要すると見積もられる。
【００５８】
これらのステップの期間中、移動電話１０は、ロケーションサーバ８０に接続されている。移動電話のＧＰＲＳデータチャネルによる移動電話１０とロケーションサーバ８０との間のデータの交換は中断されない。
【００５９】
移動電話１０によってロケーションサーバ８０に送信された位置情報は、必ずしも移動電話１０の地理的位置座標（Ｘ，Ｙ）で構成されるとは限らない情報にロケーションサーバ８０によって変換され得ることに留意されたい。ロケーションサーバ８０は、位置情報を、例えば高度に変換することもできるし、サービスプロバイダが適切なコンテンツを移動電話に送信するために任意のタイプの有用な情報に変換することもできる。
【００６０】
ところで、ユーザが２つの動作モードで移動電話１０を構成(configure)できるようにアレンジ（arrange）することもできる。
【００６１】
ユーザは、移動電話１０の「位置を特定する権限を有する」第１の動作モードを選択することができる。この場合、移動電話１０は、移動電話の地理的位置をロケーションサーバ８０に送信することをユーザに提案するポップアップウィンドウ１２をスクリーン１１上に表示する第１のステップを常に実行する。位置情報は、ユーザが権限を与えた場合にのみロケーションサーバに送信される。
【００６２】
或いは、ユーザは、移動電話１０の「自動位置特定を有する」第２の動作モードを選択することもできる。この場合、移動電話１０は、第１のステップを実行せず、ウィンドウを表示しない。位置情報は、移動電話１０によってロケーションサーバ８０に自動的に送信される。
【００６３】
図４は、接続方法の第２の可能な実施形態を示している。
【００６４】
この第２の実施形態では、移動端末１０が、地理的位置の座標（Ｘ，Ｙ）を求めるようになるために、セルラー移動電話１０に全地球測位システム（ＧＰＳ）受信機が装備される。この実施形態では、移動電話１０は、当該移動電話１０の地理的位置座標（Ｘ，Ｙ）を含む位置情報を含んだ接続要求をロケーションサーバ８０に送信する。
【００６５】
その結果、移動電話１０によって供給された位置情報は、すでに、サーバ２１、２２、２３によって使用可能な座標の形態にあるので、ロケーションサーバ８０は、この情報を変換する必要はない。
【００６６】
この第２の実施形態では、ｉ−ｍｏｄｅ（登録商標）メニューの選択によって、以下のステップを含むアプリケーションプログラミングインターフェース（ＡＰＩ）プログラムの実行が、移動電話１０のブラウザを介してトリガされる。
【００６７】
第１のステップでは、移動電話１０は、サーバ２１、２２、又は２３のうちの１つに移動電話の地理的位置を送信することをユーザに提案するウィンドウ１２（ポップアップウィンドウ）をスクリーン１１上に表示する。サーバ２１、２２、２３は、サービスプロバイダによって管理されたサーバである。
【００６８】
ウィンドウは、「あなたの地理的位置を知らせることに同意しますか？」というタイプのメッセージを含む。ユーザは、表示された応答、すなわち、「はい」又は「いいえ」のいずれかを選択することができる（図３）。
【００６９】
第２のステップでは、ユーザが「はい」の提案を選択した場合に、移動電話１０は、移動電話１０の地理的位置座標（Ｘ，Ｙ）を求める。この座標を求める動作は、例えばＧＰＳ受信機等の測位手段(positioning means)が移動電話１０に装備されているときに可能である。
【００７０】
第３のステップでは、移動電話１０は、サーバ２１、２２、又は２３のうちの１つに接続要求１を送信する。
【００７１】
接続要求１は、移動電話１０の地理的位置（Ｘ，Ｙ）を識別するデータだけでなく、サーバ２１、２２、又は２３のうちの１つに含まれるページのＵＲＬアドレスも含むｈｔｔｐ形式の要求である。
【００７２】
これらのデータを識別した後は、サーバ２１は、移動電話１０の位置を特定するプロセスをトリガしない。
【００７３】
第４のステップでは、移動電話１０が位置する地理的ゾーンに応じたコンテンツ（旅程、最も近いレストラン、映画館、スポーツセンター等）を移動電話１０に送信するために、地理的位置座標（Ｘ，Ｙ）がサーバ２１によって処理される。
【００７４】
第５のステップでは、サーバ２１は、対応するコンテンツ５を移動電話１０に送信する。
【００７５】
第１のステップの期間中にユーザが「いいえ」の応答を選択した場合、移動電話１０は、第６のステップを実行する。この第６のステップでは、移動電話１０は、ｈｔｔｐサーバ２１、２２、又は２３のうちの１つに接続要求１を送信する。この接続要求１は、移動電話１０の地理的位置（Ｘ，Ｙ）を含んでいない。
【００７６】
この第６のステップの結果として、サーバ２１は、移動電話１０の位置を特定する従来のプロセスをトリガできる。この従来のプロセスは、従来技術のプロセス（たとえば、ページングプロセス）と同一である。
【００７７】
ところで、ユーザが２つの動作モードで移動電話１０を構成できるようにアレンジすることができる。
【００７８】
ユーザは、移動電話１０の「位置を特定する権限を有する」第１の動作モードを選択することができる。この場合、移動電話１０は、移動電話の地理的位置をコンテンツプロバイダに送信することをユーザに提案するポップアップウィンドウ１２をスクリーン１１上に表示する第１のステップを依然として実行する。位置情報は、ユーザが権限を与えた場合にのみコンテンツプロバイダに送信される。
【００７９】
或いは、ユーザは、移動電話１０の「自動位置特定を有する」第２の動作モードを選択することもできる。この場合、移動電話１０は、第１のステップを実行せず、ポップアップウィンドウを表示しない。位置情報は、コンテンツプロバイダ２１、２２、又は２３に自動的に送信される。
【００８０】
例えば次のソース、すなわち、セルＩＤ、ＧＰＳ、Ａ−ＧＰＳ、セルＩＤ＋ＮＭＲ，セルＩＤ＋ＴＡ、又はセルＩＤ＋ＴＡ＋ＮＭＲのうちの１つ等、移動電話１０がいくつかの測位ソースを有するようにアレンジできることに留意されたい。この場合、移動電話のブラウザは、最も適切な（最も正確又は最も高速な）測位手段を選択するようにプログラミングされ得る。この場合、移動電話１０は、選択された測位ソースを識別する情報及び関連した位置情報をロケーションサーバ８０に送信する。ところで、ロケーションサーバ８０は、上記情報から測位ソースを識別し、上記情報から移動電話の地理的座標を推定する手段を含む。
【００８１】
いずれにしても、セルＩＤのセル識別情報は、移動電話で利用可能であり、位置情報として使用することができる。
【図面の簡単な説明】
【００８２】
【図１】すでに述べたように、従来技術によるアシスタンスサービスへの接続方法のさまざまなステップを概略的に表す図である。
【図２】本発明の第１の実施形態によるアシスタンスサービスへの接続方法のさまざまなステップを概略的に表す図である。
【図３】接続方法の実行中に移動端末のスクリーン上に表示されるポップアップウィンドウを概略的に表す図である。
【図４】本発明の第２の実施形態によるアシスタンスサービスへの接続方法のさまざまなステップを概略的に表す図である。
【図１】
2009512297.tif 000003
【図２】
2009512297.tif 000004
【図３】
2009512297.tif 000005
【図４】
2009512297.tif 000006
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
セルラー移動端末（１０）の位置特定を必要とするアシスタンスサービスを配信するように意図されたサーバ（２１、２２、２３）への前記端末（１０）の接続方法であって、
前記移動端末（１０）が、前記アシスタンスサービスを配信する前記サーバ（２１、２２、２３）に、該アシスタンスサービスへの接続要求（１）を送信するステップと、
前記移動端末（１０）が、前記接続要求に対応するコンテンツを該移動端末（１０）に送信する目的で、前記アシスタンスサービスを配信するように意図された前記サーバ（２１、２２、２３）にとって有用な情報（４）も前記サーバ（２１）に送信するステップであって、前記有用な情報（４）は、前記移動端末（１０）に含まれる位置情報の関数として求められる、有用な情報も前記サーバに送信するステップとを含み、
前記接続要求（１）は、前記サーバ（２１、２２、２３）によって識別されるようになっているデータを含み、前記データは、前記有用な情報が前記移動端末（１０）によって前記サーバ（２１、２２、２３）に送信されることを前記サーバ（２１、２２、２３）に示すことを特徴とする、方法。
【請求項２】
前記移動端末（１０）が、該移動端末に含まれる位置情報（２）をロケーションサーバ（８０）に送信するステップと、
前記ロケーションサーバ（８０）が、アシスタンスサービスを配信するように意図された前記サーバ（２１、２２、２３）にとって有用な情報に前記位置情報（２）を変換し、該有用な情報（３）を前記移動端末（１０）に送信するステップと
を含む、請求項１記載の方法。
【請求項３】
前記位置情報（２）は、前記移動端末（１０）に記録されている情報である、請求項２に記載の方法。
【請求項４】
前記位置情報は、前記移動端末（１０）が位置するセルラー移動電話ネットワーク（１００）のセルを識別する情報である、請求項３に記載の方法。
【請求項５】
前記移動端末（１０）は、前記有用な情報を含む接続要求をロケーションサーバ（８０）に送信する、請求項１記載の方法。
【請求項６】
前記有用な情報（３）は、前記移動電話（１０）の地理的位置座標を含む、請求項１から請求項５までのいずれか一項に記載の方法。
【請求項７】
前記移動端末（１０）が、前記アシスタンスサービスを配信するように意図された前記サーバ（２１、２２、２３）に前記有用な情報（４）を送信するステップと、
前記サーバ（２１）が、前記有用な情報（４）を処理し、該有用な情報（４）に応じたコンテンツ（５）を前記移動電話（１０）に送信するステップと
を含む、請求項１から請求項６までのいずれか一項に記載の方法。
【請求項８】
前記有用な情報（４）に応じた前記コンテンツ（５）を受信する権限が前記アシスタンスサービス（２１、２２、２３）に与えられていることを、前記ロケーションサーバ（８０）が検証するステップ
を含む、請求項７に記載の方法。
【請求項９】
前記移動端末（１０）は、該移動端末（１０）のデータチャネルを介して前記有用な情報（４）を送信する、請求項１から請求項８までのいずれか一項に記載の方法。
【請求項１０】
前記移動端末（１０）が、該移動端末（１０）の位置情報の前記送信を前記ユーザに提案するウィンドウ（１２）をスクリーン（１１）上に表示する予備ステップであって、前記ユーザが前記提案を容認又は拒否することができ、該ユーザが該提案を容認する場合にのみ、前記有用な情報（４）の送信のステップが実行される、前記予備ステップを含む、請求項１から請求項９までのいずれか一項に記載の方法。
【請求項１１】
セルラー移動端末（１０）の位置特定を必要とするアシスタンスサービスを配信するサーバ（２１、２２、２３）に接続されるようになっている前記セルラー移動端末（１０）であって、
該端末（１０）は、
該移動端末（１０）が、前記アシスタンスサービスを配信するサーバ（２１、２２、２３）に、前記アシスタンスサービスへの接続要求（１）を送信するステップと、
該移動端末（１０）が、前記接続要求（１）に対応するコンテンツを該移動端末（１０）に送信する目的で、前記サービスサーバ（２１）にとって有用な情報（４）も前記サーバ（２１、２２、２３）に送信するステップであって、前記有用な情報（４）は、前記移動端末（１０）に含まれる位置情報の関数として求められる、前記有用な情報（４）も前記サーバ（２１）へ送信するステップと
を実行するようにプログラミングされている処理手段を備え、
前記処理手段は、前記サーバ（２１、２２、２３）によって識別されるようになっているデータを含む要求を前記端末が前記サーバに送信するようにプログラミングされており、
前記データは、前記有用な情報が前記移動端末によって前記サーバに送信されることを該サーバ（２１、２２、２３）に示すことを特徴とする、セルラー移動端末。
【手続補正２】
【補正対象書類名】明細書
【補正対象項目名】００１４
【補正方法】変更
【補正の内容】
【００１４】
さらに、位置特定処理手続は、ＰＣＨチャネル及びＲＡＣＨチャネルで移動電話と基地局との間の一連のやり取りを必要とする。その結果、位置特定処理手続は、移動端末のＧＰＲＳチャネルによるデジタルパケットの送信の中断を伴う。したがって、ナビゲーションが、ユーザにとって流れるようなプロセス（fluid process）ではない。
米国特許出願公開２００４／１４７２６８号、米国特許出願公開２００３／１５７９４２号、英国特許出願公開２  ３５３  ９１９号、及びＰＣＴ国際公開ＷＯ００／２９９７９は、それぞれ請求項１の前提部分及び請求項１１の前提部分による方法と端末を開示する。
【手続補正３】
【補正対象書類名】明細書
【補正対象項目名】００２１
【補正方法】変更
【補正の内容】
【００２１】
本発明の接続方法では、接続要求は、サーバによって識別されるようになっているデータを含み、上記データは、有用な情報が移動端末によってサーバに送信されることをサーバに示す。
【手続補正４】
【補正対象書類名】明細書
【補正対象項目名】００３１
【補正方法】変更
【補正の内容】
【００３１】
本発明は、請求項１１に記載のセルラー移動端末にさらに関する。
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【国際調査報告】
2009512297.tif 000007
2009512297.tif 000008
2009512297.tif 000009
2009512297.tif 000010
2009512297.tif 000011
2009512297.tif 000012